(57)【特許請求の範囲】
【請求項１】
筒状の継手本体、弾性シールリング、ロックリング、コレット、及びテ−パ付リングを備えており、
前記継手本体は軸心方向一端部に内外二重筒体を有しており、そのうち内筒体は継手本体と一体に形成され、外筒体は、継手本体とは別体に形成されて、内筒体の外周との間に管差込み間隙を形成するよう継手本体に着脱可能にねじ込み結合されており、
前記内筒体の外周にはシールリング溝を形成し、このシールリング溝に、前記管差込み間隙内に差し込まれる管の内周面に密接する前記弾性シールリングが嵌め込まれており、
前記コレットは前記外筒体に内嵌され、前記管を内部に挿通し、円周に軸方向に沿う切欠部を列設した拡縮径変形自在な中空軸と、この中空軸の後端外周に張り出し形成されて前記外筒体の開口端の外部へ突出する鍔部とを有しており、このコレットの中空軸の先端に、前記管の外周面に食い込む食込み歯を有する拡縮径変形自在な前記ロックリングが一体に形成されており、
前記外筒体の内周面には、前記管が抜け出し方向に移動したときに前記ロックリングに縮径方向の力を作用させる外窄まりテ−パ状の押圧面が形成されており、
前記外筒体の開口端部の外周面には雄ねじを切り、この雄ねじにロックナットが前記鍔部と接離するよう進退動自在に螺合されており、
前記テ−パ付リングは、前記弾性シールリングの外径よりも小さい内径を有しつ前端部の内周面に外方へ拡がり状のテ−パを付けていて、前記内筒体の外周の前記弾性シールリングより軸方向外方部位と、前記コレットの中空軸の内周との間に、前記管の一端部で押されるまま前記テ−パを前記管差込み間隙の内奥へ向けて軸方向内方へ移動するように嵌め込まれていることを特徴とする差込み式管継手。
【請求項２】
前記テ−パ付リングはこれの外周に前記コレットの切欠部内の基端部に係合する弾性係止爪を設け、この弾性係止爪の係合により軸方向外方へ抜け出ることのないようにしてある請求項１記載の差込み式管継手。
【請求項３】
前記テ−パ付リングは樹脂成形品であって弾性係止爪が一体に成形されている請求項２記載の差込み式管継手。
【請求項４】
前記テ−パ付リングは板金材で内リング部とこの内リング部の一端につながる外リング部を有する断面Ｖ形状に形成され、内リング部の内周面に前記テ−パが形成され、外リング部に弾性係止爪が切り起されている請求項２記載の差込み式管継手。
【請求項５】
外周に複数個の弾性変形自在な係止突起を列設した脱落防止リングが、前記テ−パ付リングの後端面の内周寄り部位に前記係止突起の先端を接当係合するように、前記内筒体の外周のシールリング溝より軸方向外方部位に設けた周溝に嵌め込まれている請求項１記載の差込み式管継手。
【請求項６】
内周に複数個の弾性変形自在な係止突起を列設した脱落防止リングが、前記テ−パ付リングの後端面の外周寄り部位に前記係止突起の先端を接当係合するように、前記コレットの中空軸の後端側の内周に設けた内周溝に嵌め込まれている請求項１記載の差込み式管継手。
【請求項７】
筒状の継手本体、弾性シールリング、ロックリング、及びコレットを備えており、
前記継手本体は軸心方向一端部に内外二重筒体を有しており、この内外二重筒体間に管差込み間隙を形成しており、
前記内筒体の外周にはシールリング溝を設け、このシールリング溝に、前記管差込み間隙内に差し込まれる管の内周面に密接する前記弾性シールリングが嵌め込まれており、
前記コレットは前記外筒体に内嵌され、前記管を内部に挿通し、円周に軸方向に沿う切欠部を列設した拡縮径変形自在な中空軸と、この中空軸の後端外周に張り出し形成されて前記外筒体の開口端の外部へ突出する鍔部とを有しており、このコレットの中空軸の先端に、前記管の外周面に食い込む食込み歯を有する拡縮径変形自在な前記ロックリングが一体に形成されており、
前記外筒体の内周面には、前記管が抜け出し方向に移動したときに前記ロックリングに縮径方向の力を作用させる外窄まりテ−パ状の押圧面が形成されており、
前記外筒体の開口端部の外周面には雄ねじを切り、この雄ねじにロックナットが前記鍔部と接離するよう進退動自在に螺合されており、
このように構成された差込み式管継手へ管を差し込むに際し、前記弾性シールリングの外径よりも小さい内径を有しかつ前端部の内周面に外方へ拡がり状のテ−パを付けたテ−パ付リングを用意し、前記管差込み間隙内に管を差し込むに先立って、前記内筒体の外周の前記弾性シールリングより軸方向外方部位と、前記コレットの中空軸の内周との間に、前記テ−パ付リングをそのテ−パが前記管差込み間隙の内奥へ向くよう嵌め込み、次いで前記管の一端部で前記テ−パ付リングを前記管差込み間隙の内奥方向へ押し込み、該テ−パ付リングのテ−パで前記弾性シールリングを前記内筒体の外周に押し付けながら前記管を前記管差込み間隙内に差し込むことを特徴とする差込み式管継手への管差込み方法。
【発明の詳細な説明】
【０００１】
【発明の属する技術分野】
本発明は、給湯・給水配管などに用いられ、管の一端部をシール状にかつ抜止め状に簡易迅速に差し込むことのできる差込み式管継手、及び差込み式管継手への管差込み方法に関する。
【０００２】
【従来の技術】
この種の差込み式管継手は、例えば、特開平１１−２３７７号公報や特開平１１−１１８０８１号公報などに公知である。特開平１１−２３７７号公報に開示されている差込み式管継手は、継手本体の内部に、差し込まれる管の外周面に密接するシール用ゴムリングと、管の外周面に食い込む食込み部を一体に形成したコレットとが組み込まれている。特開平１１−１１８０８１号公報に記載された差込み式管継手においても継手本体の内部に、差し込まれる管の外周面に密接する弾性シールリング、及びコレットが組み込まれるが、管の外周面に食い込む食込み爪を有するロックリングはコレットとは別体に形成されて組み込まれている。
【０００３】
【発明が解決しようとする課題】
しかるに、前出のいずれの差込み式管継手においても、シール用ゴムリングまたは弾性シールリングを継手本体の内周に嵌め込まなければならず、この嵌め込みは容易でなかった。
【０００４】
本発明の目的は、このような問題を解決するためになされたもので、管の一端部をシール状にかつ抜止め状に簡易迅速に差し込むことができ、しかも弾性シールリングの組込みの容易化を図れる差込み式管継手及び差込み式管継手への管差込み方法を提供することにある。
【０００５】
【課題を解決するための手段】
本発明の請求項１に係る発明の差込み式管継手は、筒状の継手本体（１）、弾性シールリング（２）、ロックリング（３）、コレット（４）、及びテ−パ付リング（２２）を備える。前記継手本体（１）は軸心方向一端部に内外二重筒体（５），（６）を有しており、そのうち内筒体（５）は継手本体（１）と一体に形成され、外筒体（６）は、継手本体（１）とは別体に形成されて、内筒体（５）の外周との間に管差込み間隙（１２）を形成するよう継手本体（１）に着脱可能にねじ込み結合されている。前記内筒体（５）の外周にはシールリング溝（１３）を設け、このシールリング溝（１３）に、前記管差込み間隙（１２）内に差し込まれる管（Ｐ）の内周面に密接する前記弾性シールリング（２）が嵌め込まれている。前記コレット（４）は前記外筒体（６）に内嵌され、前記管（Ｐ）を内部に挿通し、円周に軸方向に沿う切欠部（１４）を列設した拡縮径変形自在な中空軸（１５）と、この中空軸（１５）の後端外周に張り出し形成されて前記外筒体（６）の開口端の外部へ突出する鍔部（１６）とを有しており、このコレット（４）の中空軸（１５）の先端に、前記管（Ｐ）の外周面に食い込む食込み歯（１７）を有する拡縮径変形自在な前記ロックリング（３）が一体に形成されている。前記外筒体（６）の内周面には、前記管（Ｐ）が抜け出し方向に移動したときに前記ロックリング（３）に縮径方向の力を作用させる外窄まりテ−パ状の押圧面（１９）が形成されている。前記外筒体（６）の開口端部の外周面に雄ねじ（８）を切り、この雄ねじ（８）にロックナット（１８）が前記鍔部（１６）と接離するよう進退動自在に螺合されている。前記テ−パ付リング（２２）は、前記弾性シールリング（２）の外径よりも小さい内径を有しかつ前端部の内周面に外方へ拡がり状のテ−パ（２４）を付けていて、前記内筒体（５）の外周の前記弾性シールリング（２）より軸方向外方部位と、前記コレット（４）の中空軸（１５）の内周との間に、前記管（Ｐ）の一端部で押されるまま前記テ−パ（２４）を前記管差込み間隙（１２）の内奥へ向けて軸方向内方へ移動するように嵌め込まれている。
【０００６】
この請求項１に係る発明によれば、継手本体（１）の組立てに際し外筒体（６）を継手本体（１）にねじ込み結合する前の状態では、内筒体（５）の外周面が外部に露出状態にあるため、この内筒体（５）の外周に弾性シールリング（２）を容易に嵌め込むことができる。弾性シールリング（２）の嵌め込み後、外筒体（６）を継手本体（１）にねじ込み結合すれば、この内外筒体（５），（６）間に管差込み間隙（１２）を形成するよう継手本体（１）を組み上げることができる。
【０００７】
この組み上げた継手本体（１）の管差込み間隙（１２）内に管（Ｐ）の一端部を差し込むに際し、現場施工で管（Ｐ）を所定長さに切断するときに管（Ｐ）の一端部の内周を外方へ拡がり状のテ−パに面取り加工しておけば、管（Ｐ）の一端部が内筒体（５）のシールリング溝（１３）から突出する弾性シールリング（２）に突っ掛かることなくスムーズに差し込まれる。しかし、かかる面取り加工は面倒であり、そればかりか面取り屑が管（Ｐ）内に付着残存していると、継手本体（１）内でのシール部に異物として挟まるおそれがあるという不具合が生じる。
そこで、上記構成のようにテ−パ付リング（２２）をセットしておくと、管（Ｐ）の一端部を管差込み間隙（１２）内に差し込むに伴い、テ−パ付リング（２２）が管差込み間隙（１２）の内奥へ向けて軸方向内方へ押し込まれ、そのテ−パ（２４）で弾性シールリング（２）が圧縮されながら内筒体（５）のシールリング溝（１３）内に押し込まれるため、管（Ｐ）の一端部は弾性シールリング（２）に突っ掛かることなくスムーズに差し込まれる。とくに、管（Ｐ）の内周面に対する弾性シールリング（２）の密着度を高めるために弾性シールリング（２）のシールリング溝（１３）からの突出量を増やした場合にも管（Ｐ）の一端部の差し込みが難なく行えて有利である。
【０００８】
管（Ｐ）の一端部を差し込むと、弾性シールリング（２）にて管の内周面と内筒体（５）の外周面との間がシールされ、ロックリング（３）の食込み歯（１７）が管（Ｐ）の外周面に軽く食い込む。次いで管（Ｐ）を抜き出し方向に引っ張ると、ロックリング（３）の外周面が外筒体（６）の外窄まりテ−パ状の押圧面（１９）に当接することにより、ロックリング（３）が縮径して、管（Ｐ）の外周面への食込み歯（１７）の食い込みが増す。これにより管（Ｐ）が継手本体（１）の管差込み間隙（１２）から抜け出るのを防止できる。
【０００９】
管（Ｐ）の差し込み後、管（Ｐ）を抜き出し方向に引っ張るとロックリング（３）及びコレット（４）が管（Ｐ）と共にそれと同一方向に後退移動し、このコレット（４）の後退により鍔部（１６）がロックナット（１８）から後方へ離れるが、このときロックナット（１８）を外筒体（６）の外周面から抜け出る方向に回転移動させて鍔部（１６）に当接させる。これによりコレット（４）が継手本体（１）内に押し込み前進するのを防止できる。したがって、不慮の外力の作用によりコレット（４）が継手本体（１）内に押し込まれてロックリング（３）の食込み歯（１７）の管（Ｐ）への食い込みが解除されるのを防止でき、不慮に管（Ｐ）が継手本体（１）から抜け出るのを防止できる。
差込みのやり直しなどに際して、管（Ｐ）を継手本体（１）から取り外すときは、ロックナット（１８）を外筒体（６）の外周面上の元の位置に戻し、コレット（４）を前進させることにより食込み歯（１７）の管（Ｐ）への食込みが解除されるため、管（Ｐ）を継手本体（１）から取り外すことができる。
【００１０】
請求項２に係る発明は、請求項１記載の差込み式管継手において、前記テ−パ付リング（２２）はこれの外周に前記コレット（４）の切欠部（１４）内の基端部に係合する弾性係止爪（２５）を設け、この弾性係止爪（２５）の係合により軸方向外方へ抜け出ることのないようにしたものである。これによれば、使用するまでにテ−パ付リング（２２）が管差込み間隙（１２）から不測に脱落するのを防止でき、またテ−パ付リング（２２）の位置決めができる。
この場合において、請求項３に記載の発明のように、テ−パ付リング（２２）は樹脂成形品であって弾性係止爪（２５）を一体に成形することができる。これにより樹脂製の弾性係止爪（２５）を有するテ−パ付リング（２２）を簡単に成形することができる。また、請求項４に記載の発明のように、テ−パ付リング（２２）は板金素材で内リング部（２６）とこの内リング部（２６）の一端につながる外リング部（２７）を有する断面Ｖ形状に形成され、内リング部（２６）の内周面に前記テ−パ（２４）が形成され、外リング部（２７）に前記弾性係止爪（２５）が切り起されたものとすることができる。これにより金属製の弾性係止爪（２５）を有するテ−パ付リング（２２）を簡単に成形することができる。
【００１１】
管差込み間隙（１２）からテ−パ付リング（２２）が脱落するのを防止する手段としては、そのほかに、請求項５に記載の発明のように、複数個の弾性変形自在な係止突起（３１）を列設した脱落防止リング（３０）が、前記テ−パ付リング（２２）の後端面（２２ｂ）の内周寄り部位に前記係止突起（３１）の先端を接当係合するように、前記内筒体５の外周のシールリング溝（１３）より軸方向外方部位に設けた周溝（３２）に嵌め込まれたものとすることができる。また、請求項６に記載の発明のように、内周に複数個の弾性変形自在な係止突起（３１）を列設した脱落防止リング（３０）が、前記テ−パ付リング（２２）の後端面（２２ｂ）の外周寄り部位に前記係止突起（３１）の先端を接当係合するように、前記コレット（４）の中空軸（１５）の後端側の内周に設けた内周溝（３３）に嵌め込まれたものとすることもできる。
これら脱落防止リング（３０）によっても、使用するまでにテ−パ付リング（２２）が管差込み間隙（１２）から不測に脱落するのを確実に防止することができ、またテ−パ付リング（２２）の位置決めができる。
【００１２】
請求項７に係る発明の差込み式管継手への管差込み方法は、上記テ−パ付リング（２２）を継手本体（１）内に予め組み込んでおくことに代えて、管（Ｐ）を継手本体（１）に差し込むときに始めて、内筒体（５）の外周の弾性シールリング（２）より軸方向外方部位と、コレット（４）の中空軸（１５）の内周との間に、テ−パ付リング（２２）をテ−パ（２４）が管差込み間隙（１２）の内奥へ向くよう嵌め込むというものである。これにおいても、管（Ｐ）の一端部を管差込み間隙（１２）内に差し込むに伴い、テ−パ付リング（２２）が管差込み間隙（１２）の内奥へ向けて軸方向内方へ押し込まれ、そのテ−パ（２４）で弾性シールリング（２）が内筒体（５）のシールリング溝（１３）内に押し込まれるため、管（Ｐ）の一端部は面取り不要にして弾性シールリング（２）に突っ掛かることなくスムーズに差し込むことができる。
【００１３】
【発明の実施の形態】
本発明の実施形態を図面に基づき説明する。図１は一実施例の差込み式管継手の半欠截断面図、図２は差込み式管継手に組み込まれるコレットの正面図、図３は図２のコレットの半欠截断面図、図４は差込み式管継手に組み込まれるテ−パ付リングの背面図、図５は図４のテ−パ付リングの半欠截断面図、図６は図１の差込み式管継手への管の差込み始め状態を示す半欠截断面図、図７は管を最も深く差し込んだ状態を示す要部断面図、図８は管を差込み後に抜き出し方向に引っ張った状態の要部断面図、図９は管の差込み完了状態の要部拡大断面図、図１０は管を抜き出し可能にした状態の要部断面図、図１１はテ−パ付リングの他例を示す背面図、図１２は図１１のテ−パ付リングの半欠截断面図である。
【００１４】
図１において、図示例の差込み式管継手は、継手本体１、弾性シールリング２、ロックリング３、コレット４、及びテ−パ付リング２２を備える。
継手本体１は青銅鋳物等で筒状に形成されており、その軸心方向一端部に内外二重筒体５，６を有する構造としてある。そのうち、内筒体５は継手本体１と一体に形成されるが、外筒体６は、継手本体１とは別体に形成されて、その一端部内周に雌ねじ７を、他端部外周に雄ねじ８をそれぞれ切っている。
継手本体１の内筒体５の付け根部の外周には外筒体保持ボス９を間隙１０をおいて内筒体５と同心に突設し、この外筒体保持ボス９の外周に雄ねじ１１を切り、この雄ねじ１１に外筒体６の一端部の雌ねじ７をねじ込むことによって、外筒体６が内筒体５の外周との間に管差込み間隙１２を形成するよう継手本体１に着脱可能にねじ込み結合される。その際、外筒体保持ボス９の内周と内筒体５の外周との間に形成される前記間隙１０は管差込み間隙１２の内奥部と連通状態とされる。
【００１５】
内筒体５の外周にはシールリング溝１３を１本または２本以上（図示例では２本）設け、このシールリング溝１３に、管差込み間隙１２内に差し込まれる管Ｐの内周面に密接するＯリング等よりなる弾性シールリング２が嵌め込まれる。この嵌め込みは、外筒体６を継手本体１にねじ込み結合する前に行うことにより容易に行える。外筒体６は、弾性シールリング２の嵌め込み後に、継手本体１にねじ込み結合される。
【００１６】
図２、図３に示すように、ロックリング３とコレット４とは一体に形成されており、コレット４はステンレスまたは黄銅製のものであって、中空軸１５と、この中空軸１５の後端外周に張り出し形成された鍔部１６とを有しており、中空軸１５は円周に複数の軸方向に沿う切欠部１４を円周方向に所定間隔で列設して拡縮径変形自在に形成し、中空軸１５の先端にはロックリング３を一体に形成している。ロックリング３の内周には管差込み間隙１２内に差し込まれる管Ｐの外周面に食い込む食込み歯１７を有し、ロックリング３の円周には前記切欠部１４が延長する形の切り割り延長部１４ａが形成されている。
【００１７】
図１に示すように、コレット４は、ロックリング３が外筒体６の内奥に挿入するとともに、鍔部１６が外筒体６の開口端の外部へ突出するように外筒体６に内嵌される。外筒体６の開口端部の外周面の雄ねじ８にはダブルナットよりなるロックナット１８，１８が螺合される。
【００１８】
前記外筒体６の内周面には、外筒体６の開口端に向かい窄まる外窄まりテ−パ状の押圧面１９が形成されている。
【００１９】
継手本体１の外筒体保持ボス９の外周一部には管端末部視認用穴２０が管差込み間隙１２の内奥部と連通状に形成されている。コレット４の鍔部１６の外周面１６ａ及びロックナット１８の外周面１８ａはこれらを指でつかんで操作するときに滑ることのないようにローレット加工などにより滑止めが施されている。
【００２０】
図４、図５に示すように、テ−パ付リング２２は樹脂成形品であり、管Ｐの外径より小さい外径を有し、かつ内筒体５に隙間少なく摺動可能に挿入されるとともに弾性シールリング２の外径よりも小径の中心孔２３を有し、この中心孔２３の軸方向一端の前端部の内周に外拡がり状のテ−パ２４を形成している。テ−パ付リング２２の後端部の外周には複数の弾性係止爪２５をコレット４の切欠部１４の円周方向ピッチに対応する定ピッチで、かつ径方向外方へ切り起す形で列設している。
【００２１】
図１に示すように、テ−パ付リング２２は内筒体５の外周の弾性シールリング２より軸方向外方部位にテ−パ２４が管差込み間隙１２の内奥へ向くように挿入される。その際、テ−パ付リング２２の弾性係止爪２５はコレット４の切欠部１４内をスライド自在に、かつ該切欠部１４内の基端部に係合させて軸方向外方へ不用意に抜け出ることのないようにかつ位置決め状態に組み込まれる。なお、継手本体１の軸方向他端部の外周には雄ねじ２１を切っており、この雄ねじ２１には、金属製で雌ねじ付きの水栓やエルボなどがねじ込み接続される。
【００２２】
次に、図１に示す差込み式管継手の使用態様を図６ないし図１０を参照にして説明する。現場施工において、先ず、ポリブテン管等よりなる樹脂製の管Ｐは所要長さに切断される。この切断された管Ｐの一端部は、図６に示すように、コレット４の中空軸１５に差し込む。この差込みに伴い管Ｐの一端部の端末部Ｐ´でテ−パ付リング２２が管差込み間隙１２の内奥方向へ押し込まれ、テ−パ付リング２２のテ−パ２４が内筒体５のシールリング溝１３から突出している弾性シールリング２の外周部に当接し該リング２を圧縮させてシールリング溝１３内に押し込みながら通過する。したがって、これに引き続いて移動してくる管Ｐの端末部Ｐ´は、図６中に破線Ｔで示すごとく面取りされていなくて軸心に対し直角に切断されたまま（実線状態）でも弾性シールリング２に突っ掛かることなくスムーズに差し込まれる。図７のように、管Ｐが最も深く差し込まれた時点では、テ−パ付リング２２は弾性係止爪２５が外筒体保持ボス９の内周面に当接することにより畳まれた状態で管差込み間隙１２の最奥部に納められる。管Ｐの端末部Ｐ´が最も深く差し込まれているか否かの確認は、管端末部視認用穴２０から容易に確認することができる。
【００２３】
継手本体１内に所定深さにまで差し込まれた管Ｐの内周面には弾性シールリング２が圧縮状に密接し、この弾性シールリング２により管Ｐの内周面と内筒体５の外周面との間がシールされる。また、このときロックリング３の食込み歯１７が管Ｐの外周面に軽く食い込む。
【００２４】
次いで、図８に示すように、管Ｐを抜き出す方向ａに引っ張ると、管Ｐと共に同一方向に移動するロックリング３の外周面が外筒体６の押圧面１９と当接することにより、ロックリング３が縮径して、管Ｐの外周面への食込み歯１７の食込みが増す。このようにロックリング３の外周面が外筒体６の押圧面１９と当接するとともにロックリング３の食込み歯１７が管Ｐの外周面に食い込むことにより、管Ｐの管差込み間隙１２からの抜け出しが阻止される状態となる。このとき、コレット４の鍔部１６は外筒体６の開口端部及びロックナット１８から後方へ離された状態となる。
【００２５】
このように管Ｐをａ方向に引っ張った状態下で、図９（作業完了状態）に示すように、ロックナット１８を外筒体６の外周面から後方へ回転移動させてコレット４の鍔部１６に当接させる。これによりコレット４が管差込み間隙１２内に前進するのを防止できる。したがって、不慮の外力の作用によりコレット４が管差込み間隙１２内に押し込まれ、ロックリング３の食込み歯１７の管Ｐの外周面への食い込みが解除されるようなことがなく、不慮に管Ｐが継手本体１から抜け出るのをよく防止できる。
【００２６】
そして、管Ｐを継手本体１から取り外すときには、図１０に示すように、ロックナット１８を元の位置に戻し、鍔部１６をつかんでコレット４を二点鎖線Ｑで示すごとく管差込み間隙１２内に押し込み前進させると、ロックリング３の食込み歯１７の管Ｐの外周面への食込みを外すことができるので、管Ｐを管差込み間隙１２から取り外すことができる。
【００２７】
上記実施例では、予めテ−パ付リング２２を継手本体１内に組み込んであるが、これに代えて、現場で管Ｐを管差込み間隙１２内に差し込むときに始めて、そのテ−パ付リング２２を内筒体５の外周の弾性シールリング２より軸方向外方部位に、テ−パ２４が管差込み間隙１２の内奥へ向くよう嵌め込み、しかる後、管Ｐの一端部を管差込み間隙１２内に差し込んでテ−パ付リング２２を上記のように軸方向内方へ押し込むこともできる。これにおいても、テ−パ付リング２２のテ−パ２４で弾性シールリング２が内筒体５の外周面に押し付けられるため、管Ｐの一端部は面取り不要にして弾性シールリング２に突っ掛かることなくスムーズに差し込むことができる。
【００２８】
テ−パ付リング２２は樹脂成形品であるものに限られず、図１１、図１２に示すように板金素材を用いてプレス加工したものを使用することもできる。この金属製のテ−パ付リング２２は、内筒体５に隙間少なく摺動可能に挿入されるとともに弾性シールリング２の外径よりも小径の中心孔２３を有する内リング部２６と、この内リング部２６の一端につながる外リング部２７を有する断面Ｖ形状に形成されている。内リング部２６の中心孔２３の軸方向一端に外拡がり状のテ−パ２４が形成され、外リング部２７に弾性係止爪２５が切り起されている。そして、このテ−パ付リング２２は内リング部２６の他端縁２８の端面が管Ｐの端末部Ｐ´で押されることになるが、この場合内リング部２６の他端縁２８の端面厚が薄くても管Ｐの端末部Ｐ´で確実に押されるように、内リング部２６の他端縁２８の数箇所は径方向外方に折り曲げられて管Ｐの端末部Ｐ´を受けるための突片２９が他端縁２８の端面と面一に形成されていることが好ましい。
【００２９】
継手本体１内に予め組み込まれたテ−パ付リング２２が継手本体１の管差込み間隙１２から軸方向外方へ脱落するのを防止する手段としては、テ−パ付リング２２に設けた弾性係止爪２５をコレット４の切欠部１４内に係合させるという上記実施例のものに代えて、次のような手段を採用することもできる。
図１４に示すように、テ−パ付リング２２とは別体に、外周に複数個の弾性変形自在な係止突起３１を所定間隔置きに列設したゴム等弾性材料からなる脱落防止リング３０を形成し、この脱落防止リング３０を図１３に示すごとく内筒体５の外周のシールリング溝１３より軸方向外方部位に設けた周溝３２に嵌め込み固定する。そして、継手本体１内に組み込まれるテ−パ付リング２２の後端面２２ｂの内周寄り部位に前記係止突起３１の先端を接当係合させることにより、テ−パ付リング２２が継手本体１の管差込み間隙１２から軸方向外方へ脱落するのを防止する。その際、係止突起３１はテ−パ付リング２２の後端面２２ｂの内周寄り部位のみに接当係合させてあるので、そのテ−パ付リング２２の後端面２２ｂを差し込まれる管Ｐの端末部Ｐ´で押すときに係止突起３１が邪魔になるようことはなく、管Ｐの端末部Ｐ´でテ−パ付リング２２の後端面２２ｂを支障なく押すことができる。また弾性変形自在な係止突起３１の先端は、差し込まれる管Ｐの内面に対し撓み自在に擦接するので、管Ｐの差し込みに何等障害を来すことはない。
【００３０】
上記脱落防止リング３０は、図１５に示すように、コレット４の中空軸１５の後端側の内周に設けた内周溝３３に嵌め込み固定することもできる。この場合、脱落防止リング３０はこれの内周に複数個の弾性変形自在な係止突起３１を所定間隔置きに列設する形に形成している。そして、係止突起３１の先端をテ−パ付リング２２の後端面２２ｂの外周寄り部位に接当係合させる。これにおいても、係止突起３１の先端はテ−パ付リング２２の後端面２２ｂの外周寄り部位のみに接当係合させてあり、また係止突起３１の先端は管Ｐの外面に対し撓み自在に擦接するので、管Ｐの端末部Ｐ´でテ−パ付リング２２の後端面２２ｂを押しながら差し込むのに何等支障を来すようなことはない。
【００３１】
【発明の効果】
本発明によれば、管の一端部をシール状にかつ抜止め状に簡易迅速に差し込むことができ、しかも継手本体に弾性シールリングを容易に組込むことができて組立て性にも優れる。特に、差し込まれる管の切断端部には敢えて面取り加工を施さなくても弾性シールリングを有する内筒体にテ−パ付リングを介してスムーズに差し込むことができるという利点がある。
【図面の簡単な説明】
【図１】一実施例の差込み式管継手の半欠截断面図である。
【図２】図１の差込み式管継手に組み込まれるコレットの正面図である。
【図３】図２に示すコレットの半欠截断面図である。
【図４】図１の差込み式管継手に組み込まれるテ−パ付リングの背面図である。
【図５】図４のテ−パ付リングの半欠截断面図である。
【図６】図１の差込み式管継手への管の差込み始め状態を示す半欠截断面図である。
【図７】管を最も深く差し込んだ状態を示す要部断面図である。
【図８】管を差し込み後に抜き出し方向に引っ張った状態の要部断面図である。
【図９】コレットの戻り止めをした状態の要部断面図である。
【図１０】管を抜き出し可能にした状態の要部断面図である。
【図１１】テ−パ付リングの他例を示す背面図である。
【図１２】図１１のテ−パ付リングの半欠截断面図である。
【図１３】他の実施例の差込み式管継手の半欠截断面図である。
【図１４】図１３の差込み式管継手に組み込まれた脱落防止リングを示すもので、（ａ）は正面図、（ｂ）は側面図である。
【図１５】更に他の実施例の差込み式管継手の半欠截断面図である。
【符号の説明】
１  継手本体
２  弾性シールリング
３  ロックリング
４  コレット
５  内筒体
６  外筒体
８  外筒体の雄ねじ
１２  管差込み間隙
１３  シールリング溝
１４  切欠部
１５  中空軸
１６  鍔部
１７  食込み歯
１８  ロックナット
１９  押圧面
２２  テ−パ付リング
２４  テ−パ
２５  弾性係止爪
２６  内リング部
２７  外リング部
３０  脱落防止リング
３１  係止突起
３２  周溝
３３  内周溝
【図１】
0004474043.tif 000002
【図２】
0004474043.tif 000003
【図３】
0004474043.tif 000004
【図４】
0004474043.tif 000005
【図５】
0004474043.tif 000006
【図６】
0004474043.tif 000007
【図７】
0004474043.tif 000008
【図８】
0004474043.tif 000009
【図９】
0004474043.tif 000010
【図１０】
0004474043.tif 000011
【図１１】
0004474043.tif 000012
【図１２】
0004474043.tif 000013
【図１３】
0004474043.tif 000014
【図１４】
0004474043.tif 000015
【図１５】
0004474043.tif 000016